(57)【要約】【課題】単なるマットレスとして使用する際の使用感がよく、マッサージの強さを調整する選択肢の幅が大きいマット式マッサージ機を得ることにある。【解決手段】マッサージ要素（空気の給排気に伴い膨縮する空気袋２１ａ〜２１ｅ）が取付けられたマットレス５を具備するマット式マッサージ機４を前提とする。マットレス５が、マットレスベース１５と、クッション材料製の複数のマット１６，１７と、マットレスカバー１８とを備える。マットレスベース１５は、上下方向に弾性変形可能である。各マット１６，１７は、互いに重ねられるとともに互いに独立して取扱うことが可能であって、マットレスベース１５上に取外し可能に積層される。これらマット１６，１７の内の一つマット１７には空気袋２１ａ〜２１ｅが取付けられている。マットレスカバー１８は、マットレスベース１５を収容するとともに各マット１６，１７を出し入れ可能に収容する。【選択図】    図３
2004154423.tif 000002
【特許請求の範囲】
【請求項１】
マッサージ要素が取付けられたマットレスを具備するマット式マッサージ機であって、
前記マットレスが、
弾性変形可能なマットレスベースと、
互いに重ねられるとともに互いに独立して取扱うことが可能であって、前記マットレスベース上に取外し可能に積層されるクッション材製の複数のマットと、複数の前記マットを出し入れ可能に収容するとともに前記マットレスベースを収容するマットレスカバーと、
を備え、複数の前記マットの内の一つに前記マッサージ要素が取付けられているマット式マッサージ機。
【請求項２】
マッサージ要素が取付けられたマットレスを具備するマット式マッサージ機であって、
前記マットレスが、
弾性変形可能なマットレスベースと、
前記マッサージ要素が取付けられているとともに前記マットレスベース上に取外し可能に重ねられるクッション材製のマットと、
このマットを出し入れ可能に収容するとともに前記マットレスベースを収容するマットレスカバーと、
を備えているマット式マッサージ機。
【請求項３】
請求項１又は２に記載のマット式マッサージ機において、前記マッサージ要素が取付けられる前記マットのマッサージ要素配設領域を凹ませて、この領域に前記マッサージ要素が配設されているマット式マッサージ機。
【請求項４】
請求項１から３の内のいずれか１項に記載のマット式マッサージ機において、前記マッサージ要素が、駆動装置により膨縮されるとともに供給される空気で膨張される空気袋であって、この空気袋は、その膨張時に前記マットとの接触が維持される部分を前記マットに接着剤を用いて直付けされているマット式マッサージ機。
【請求項５】
請求項１から３の内のいずれか１項に記載のマット式マッサージ機において、外装袋を備え、前記マッサージ要素を駆動装置により膨縮されて前記外装袋に出し入れ可能に収容される空気袋とし、この空気袋が前記外装袋を介して前記マットの内の一つに取付けられているマット式マッサージ機。
【請求項６】
下面を設置面から離して設置される基礎マットレスと、
この基礎マットレス上に載置されるマットレスを備えた請求項１から５の内のいずれか１項に記載のマット式マッサージ機と、
を具備し、前記マット式マッサージ機の駆動部が前記基礎マットレスの下面と前記設置面との間に配設されているベッド。
【発明の詳細な説明】
【０００１】
【発明の属する技術分野】
本発明は、例えば膨縮される空気袋等のマッサージ要素によりマットレス上の人体に対するマッサージが可能なマット式マッサージ機、及びこのマッサージ機を備えたベッドに関する。
【０００２】
【従来の技術】
従来、クッション性を有する上層、中層、及び下層を順次積層してなるマット本体を、その外側から本体カバーで着脱自在に包んだマットの表側に、このマットの人体をマッサージする複数の空気袋を取付けたマット式マッサージ機が知られている（例えば特許文献１参照。）。
【０００３】
この特許文献１のマッサージ機では、本体カバーの表面に複数の外装袋を設けて、これらの外装袋の夫々に空気袋を１個ずつ収容するとともに、各空気袋とマット本体の中層に内蔵したエアー給排気装置とを、この装置のホースを用いて接続している。これにより、エアー給排気装置での空気の給排気動作に伴って空気袋を膨縮（膨張及び収縮）させて、マット上の人体をマッサージすることができる。この特許文献１のマッサージ機では、マット本体をなす各層の相互関係については言及されていない。
【０００４】
【特許文献１】
特開２００２−６５７８３号公報（段落００１４−００１７、図１−図２）
【０００５】
【発明が解決しようとする課題】
特許文献１のマット式マッサージ機では、そのマット本体の表面部に配設されたマッサージ用空気袋と、マット上の人体との位置関係を、変えることができない。このため、このマット式マッサージ機の使用者が、マッサージ機としてではなく、マッサージ機能を停止させて単なるマットレスとしての使用を望む場合に、それに応じるには難がある。つまり、空気袋は、膨縮が可能であるとはいえども、収縮した状態で、ある程度の異物感をマット本体上の人体に与えることがある。この傾向は、特許文献１のように空気袋をマット本体の表面部に設ける程高く、又、マッサージ要素として空気袋に代えて硬いバイブレータなどを用いる場合にはなお更である。更に、マット式マッサージ機の使用者が、マッサージの強さを変えたい場合、従来はエアー給排気装置等の駆動装置での空気圧等の調整による以外には行うことができず、マッサージの強さの調整の選択肢が制限されていた。
【０００６】
本発明が解決しようとする課題は、単なるマットレスとして使用する際の使用感がよいとともに、マッサージの強さを調整する選択肢の幅が大きいマット式マッサージ機、及びこのマッサージ機を備えたベッドを得ることにある。
【０００７】
【課題を解決するための手段】
前記課題を解決するために、本発明は、弾性変形可能なマットレスベースと、このベース上に取外し可能に積層されるクッション材製の複数のマットと、前記マットレスベースを収容するとともに前記各マットを出し入れ可能に収容するマットレスカバーと、を含むマットレスを備え、各マットは互いに重ねられるとともに互いに独立して取扱うことが可能であって、これら複数のマットの内の一つにマッサージ要素を取付けている。
【０００８】
本発明で、マットレスベースは、人体の支持強度をマットレス全体に与えるものであって、例えば主として上下方向に弾性反発作用を発揮するように組合わされた多数のコイル状ばねを含んで台状に形成されたばねユニット、又は主として上下方向に弾性反発作用を発揮する硬質発泡ウレタンフォーム、或いはこれらを複合してなるもの等を使用できる。
【０００９】
本発明で、複数のマットは、同一又は異なるクッション性を有するクッション材を主体として作られるものであって、１層以上用いられる。マットをなすクッション材には、例えば発泡した合成樹脂の成形体等を好適に使用できるが、コイル状ばねは含まない。更に、本発明で、各層のマットの表面等に薄いカバーシートを付加することは妨げないとともに、複数のマット間にこれらとは独立して、マットレスのクッション性に実質的に寄与しない不織布などからなる薄いシートを介在させることも妨げない。
【００１０】
本発明で、マットレスカバーは、布や、天然レザー、合成レザー等で作ることができ、このマットレスカバーに対してマットレスベースは取外せないように収容してもよい。
【００１１】
本発明で、各マットを互いに独立して取扱うことが可能であるとは、重ね合わされて隣接するマット同士が、積層状態で隣接しているマットやマットレスベースに拘束されずに、互いの相対位置を変更可能な状態、例えば上下逆様に位置を変えたり、上下に反転して配置したりすることが可能となっている状態を指している。
【００１２】
本発明で、マッサージ要素が取付けられたマットは、単層でも、２枚のマット要素を互いに接着してなる２層構造であってもよい。単層マットの場合、その一面側にマッサージ要素を取付ければよく、互いに接着された２層構造のマットである場合、その合わせ部にマッサージ要素を取付ければよい。なお、２層構造のマットにおいて、２枚のマット要素を作るクッション材の材質、厚み、及び硬さ等は、同一でも異なっていてもよい。
【００１３】
本発明で、マッサージ要素には、マットレスに対する取付け位置が固定的に維持されるもの、例えば空気の給排気に伴い膨縮する空気袋又はバイブレータ等を用いることができる。
【００１４】
本発明では、使用者等が必要に応じてマットレスカバー内の複数のマット相互の位置関係を変えられるので、この変更に伴って１つのマットに取付けられている空気袋等のマッサージ要素と、マットレス上の人体との位置関係を、変えることが可能である。
【００１５】
【発明の実施の形態】
以下、図１〜図６を参照して本発明の第１実施形態を説明する。
【００１６】
図１及び図２に例示するベッド１は、ベッドフレーム２と、下部マットレスとして使用される基礎マットレス３と、マット式マッサージ機４とを具備している。マッサージ機４は、マッサージ機能を有する上部マットレス５と、駆動装置としてのエアー給排気装置６、及び操作部としてのリモートコントローラ７（図３参照）を備えている。基礎マットレス３上には上部マットレス５が取外し可能に載置されている。
【００１７】
木材等で作られるベッドフレーム２は、基礎マットレス３より一回り大きい四角枠状をなす枠部１１、及びこの枠部１１の一端の枠片を兼ねて設けられたヘッドボード１２とを有している。図示の例では枠部１１は床面（設置面）Ｆに直に置かれるものであるが、図示しないキャスター等の足を設けることも可能であり、又、ヘッドボード１２は小棚を有する宮付きの構造であってもよい。
【００１８】
基礎マットレス３は例えば四隅等に足（図２に２個のみ図示する。）３ａを有して、枠部１１内で床面Ｆ上に置かれる。基礎マットレス３の下面３ｂは床面Ｆから離れて、この床面Ｆとの間に床上空隙Ｇを設けている。基礎マットレス３の足元側は人体による荷重が少ない所であり、この足元側の下面３ｂには図２に示すように床上空隙Ｇを上方へ広げるために凹み３ｃが設けられている。なお、ベッドフレーム２の枠部相当部分が、枠状ではなく、基礎マットレス３を上面に載置する台状である場合、この台状部分の下面に設けられている足により、マットレス３の下面３ｂを床面Ｆから離すことができる。
【００１９】
基礎マットレス３は、台状に形成されたばねユニット（図示しない）を内蔵して形成されている。ばねユニットは、例えば主として上下方向に弾性反発作用を発揮するように組合わされた弾性支持部材例えば多数のサポートばねを含んでいる。このばねユニットを備えている基礎マットレス３は、それ全体で、上部マットレス５を介して加わる人体の荷重の半分程度を支持して、ベッド１上の人体の沈み込み過ぎを抑制して良好な寝心地を確保するために用いられている。
【００２０】
上部マットレス５は、基礎マットレス３と略同じ大きさであって、図２及び図３等に示すようにマットレスベース１５と、この上に積層された第１及び第２のマット１６及び１７と、これらマットレスベース１５及びマット１６、１７を出し入れ可能に収容したマットレスカバー１８とを備えて作られている。互いに重なり合っているマットレスベース１５、第１マット１６、及び第２マット１７は、互いに拘束されることなく、布製などのマットレスカバー１８に対する出し入れを伴って、互いの相対位置を変えることができるように独立している。
【００２１】
図１及び図３に示すようにマットレスカバー１８は、上下一対のカバー部材１８ａ、１８ｂを一対のファスナー１８ｃにより開閉可能に接続して形成されている。一対のファスナー１８ｃ間にはマットレスカバー１８の足元側中央部で途切れていて、これらの間には例えば横長な通孔１９が設けられている。
【００２２】
マットレスベース１５は寝具としての寝心地を確保するために心材的に用いられている。このベース１５は台状に形成されたばねユニット（図示しない）を内蔵して形成されている。このばねユニットは、例えば主として上下方向に弾性反発作用を発揮するように組合わされた多数のコイルばねを含んでいる。ばねユニットのコイルばねのばね力は、基礎マットレス３のばねユニットが有しているサポートばねのばね力より弱い。このばね力及びマット１６、１７のクッション性により、ベッド１上の人体の体形に沿った適度な沈み込みを許して良好な寝心地を確保するように作られている。
【００２３】
図２においてマットレスベース１５上に重ねて置かれた第１マット１６は、後述するマッサージ要素のマッサージ力を大きく吸収しない程度に低い弾性力を有する合成樹脂の発泡体、例えば硬質発泡ウレタンフォームで作られている。この第１マット１６の弾性力はマットレスベース１５のコイルばねのばね力より弱い。図２において第１マット１６上に重ねて置かれた第２マット１７は、高い弾性力を有する合成樹脂の発泡体例えばスポンジ状の軟質発泡ウレタンフォームで作られている。この第２マット１７の弾性力は第１マット１６の弾性力より弱い。第２マット１７は例えば第１マット１６より薄く作られている。
【００２４】
第１マット１６には複数のマッサージ要素として例えば空気袋２１ａ〜２１ｅが取付けられている。詳しくは、図３及び図５に示すように第１マット１６の一面１６ａ上には、幅方向片側に位置して第１の空気袋２１ａ〜２１ｅ群が配置されているとともに、他の幅方向片側に位置して第２の空気袋２１ａ〜２１ｅ群が配置されている。空気袋２１ａ〜２１ｄは上部マットレス５上の人体の上半身に対応する位置に設けられ、空気袋２１ｅは上部マットレス５上の人体の腿に対応する位置に設けられている。これら空気袋の配置は、ベッド１を使用する二人の使用者に対するものであり、シングルベッドとして実施する場合には、一方の空気袋群が省略され、使用される空気袋群が第１マット１６の幅方向両端部間に配設される。
【００２５】
図４〜図６等に示すように各空気袋２１ａ〜２１ｄは、これらに対して個々に用意された外装袋２３ａ〜２３ｄに個別に収容され、空気袋２１ｅはこれに対して用意された他の外装袋２３ｅに収容されている。各外装袋２３ａ〜２３ｅは、その長手方向一端に設けられた開口２４（図６に示す外装袋２３ｅで代表する。）を通して各空気袋２１ａ〜２１ｄを収容しているとともに、空気袋２１ａ〜２１ｅの膨縮に追従して自在に変形することが可能に作られている。各空気袋２１ａ〜２１ｅの長手方向の一端部は開口２４より外側に突出されていて、この部分には筒状の接続部２２が取付けられている。
【００２６】
このように外装袋２３ａ〜２３ｅに収容された空気袋２１ａ〜２１ｅを第１マット１６上の既述の所定位置に配置するために、図３及び図５等に例示するように第１マット１６の一面１６ａには、第１の凹み２５及び第２の凹み２６が設けられている。これらの凹み２５、２６は、マッサージ要素配設領域である空気袋配設領域をなしていて、空気袋とこれを収容した外装袋が収縮した状態での合計厚さに略等しい深さを有している。
【００２７】
第１の凹み２５には外装袋２３ａ〜２３ｄに収容された空気袋２１ａ〜２１ｄが埋め込み状態に配設され、第２の凹み２６には外装袋２３ｅに収容された空気袋２１ｅが埋め込み状態に配設されている。各外装袋２３ａ〜２３ｅは第１の凹み２５又は第２の凹み２６の底面に図示しない固定具や接着剤等を介して外れないように固定されている。この場合、収容された空気袋２１ａ〜２１ｅが最大に膨張した時でも、第１の凹み２５又は第２の凹み２６の底面に対する各外装袋２３ａ〜２３ｅの接触が維持される線状部分を固定することが好ましい。これにより、空気袋２１ａ〜２１ｅの膨張に伴いこれに追従して外装袋２３ａ〜２３ｅが変形するにも拘らず、これら外装袋２３ａ〜２３ｅの固定個所に負荷を作用することが抑制されるので、長期間にわたり各外装袋２３ａ〜２３ｅを所定の取付け状態の保持することが可能である。
【００２８】
図５及び図６等に示すように第１マット１６の一面１６ａには、この一面１６ａに開放する溝２７が形成されている。この溝２７の中央部は、第１マット１６の長手方向一端側の縁に沿って設けられ、かつ、第１マット１６の長手方向一端側の幅方向中央部端面にも開放（この開放部を図５に符号２７ａで示す。）されている。更に、溝２７の左右部分は第１マット１６の側縁に沿って、このマット１６の長手方向他端側に向けて延びていて、第１の凹み２５又は第２の凹み２６に連通している（図４参照）。
【００２９】
各空気袋２１ａ〜２１ｅにその駆動力である空気を給排気する前記エアー給排気装置６は、上部マットレス５に対して別置きされる駆動部３１と、駆動力伝達系をなす複数のエアーチューブ３２とを備えている。
【００３０】
駆動部３１は、図示しないが、電磁駆動式のエアーポンプ、このポンプの吐出し口に接続されたエアー分配装置例えばロータリー式のエアー分配器等を備えている。エアー分配器は、エアーポンプの吐出し口に接続された一つの入口と、一つの排気口と、前記空気袋２１ａ〜２１ｅの数に応じた複数の分配口、ステッピングモータにより回転され空気の分配等を伴う給排気動作を行わせる回転体、及びエアーポンプとエアー分配装置との動作を制御するマイクロコンピュータ等からなる制御部とを有している。マッサージの力を強中弱等に変更したり、使用する空気袋２１ａ〜２１ｅの選択等の制御部に対する運転指令は、ベッド１上の使用者によってリモートコントローラ７により与えられる。なお、図示の場合、運転指令は有線で行っているが、受信部をベッド１の例えばヘッドボード１２等に設けて、この受信部と駆動部３１とを電気的に接続する構成とすることにより、リモートコントローラ７からの指令を受信部に無線送信して制御部に与えることも可能である。
【００３１】
各エアーチューブ３２は可撓性を有しており、これらの一端部は駆動部３１に図示しないコネクタを介して着脱可能に接続されている。各エアーチューブ３２は、第１マット１６の足元側の幅方向中央部端面の開放部２７ａを通って溝２７内に配管されていて、空気袋２１ａ〜２１ｅにそれらの接続部２２を介して個別に接続されている。各エアーチューブ３２は溝２７内の複数個所において図示しない接着テープにより束ねられている。このような各エアーチューブ３２の配設により、第１マット１６の一面１６ａ上に各エアーチューブ３２が突出しないようになっている。
【００３２】
なお、図４及び図５中符号３３は、空気袋２１ａ〜２１ｅ及び各エアーチューブ３２とともに第１マット１６の一面１６ａを覆っている不織布等の柔軟で自在に変形が可能なカバーシートを示しており、このシート３３の四周は第１マット１６の周部に固定されている。このカバーシート３３は省略することが可能である。
【００３３】
各エアーチューブ３２は、第１マット１６の長手方向一端側の幅方向中央部の開放部２７ａから外に引出されて一列に並べられた部分を有している。この列状のチューブ部分は、前記マットレスカバー１８の通孔１９から外に引出されていて、図２に示すように上部マットレス５及び基礎マットレス３の足元側部分の表面から基礎マットレス３の足元側裏面に沿って引き回し保持されている。
【００３４】
この引き回し部分から駆動部３１に至る部分はばらされていて、それらの先端がコネクタを介して駆動部３１に接続されている。各エアーチューブ３２の上部マットレス５から駆動部３１に至る引き回し部分は、上部マットレス５内での後述する積層状態の組替えを許容できる十分な長さを有している。
【００３５】
駆動部３１は基礎マットレス３及び上部マットレス５の投影領域内に位置して、床面Ｆと基礎マットレス３との間の床上空間Ｇ内に配置されている。この場合、前記凹み３ｃに臨んで床面Ｆ上に載置されている。これにより、駆動部３１をヘッドボード１２側から遠ざけて、駆動音がベッド１上の使用者に聞こえることを抑制している。
【００３６】
マッサージ機能を備える上部マットレス５を備えた前記構成のベッド１の標準的な販売状態で、上部マットレス５は、図２及び図４（Ａ）に示すようにマットレスベース１５を下層とし、第２マット１７を上層とし、空気袋２１ａ〜２１ｅが取付けられた一面１６ａを上向きとした姿勢の第１マット１６を中層とした構成をなしている。この積層形態では、軟質な第２マット１６の柔らかさに応じたソフトな寝心地を与えることができる。
【００３７】
この状態で、エアー給排気装置６の駆動部３１を駆動して空気袋２１ａ〜２１ｅの内で所望の空気袋に空気を繰返し給排気し、その空気袋を膨縮させることにより、膨縮する空気袋に対応した人体の被施療部位にエアー式のマッサージを施すことができる。この場合、第２マット１７は自在な変形を伴うので、マッサージ力は適度に緩和されるが、この状態下において駆動部３１をリモートコントローラ７で遠隔制御して、マッサージ力の大きさを変えることは可能である。
【００３８】
ところで、上部マットレス５のマットレスベース１５、及び第１、第２のマット１６、１７は、これらを収容したマットレスカバー１８を開閉して、それらの積層状態を組み変えることが可能である。この組替えにおいて、各空気袋２１ａ〜２１ｅやエアーチューブ３２は、第１マット１６に保持されているので、第１マット１６の所定位置から不用意に外れて、組替えの手間を増やすことがない。
【００３９】
この組替えにより、使用者などは、必要に応じて図４（Ａ）の状態から図４（Ｂ）の状態に得ることができる。図４（Ｂ）の状態では、前記一面１６ａを上向きとした姿勢の第１マット１６を上層とするとともに、第２マット１７を中層とし、マットレスベース１５を下層としている。この積層形態では、第１マット１６の硬さに応じた比較的ハードな寝心地を与えることができる。
【００４０】
そして、この状態でエアー給排気装置６を駆動させて、空気袋２１ａ〜２１ｅの内で所望の空気袋を膨縮させることにより、その空気袋に対応した人体の被施療部位にエアー式のマッサージを施すことができる。この場合、第１マット１６の一面１６ａがマットレスカバー１８の上部カバー部材１８ａの裏面に接するように配置されているので、マッサージ力の減衰がほとんどなく、強いマッサージができる。
【００４１】
以上のように第１、第２のマット１６、１７を上下に差し替えて配置することにより、マッサージの強さ変えられるので、これとエアー給排気装置６の空気圧等の調整との組合せにより、マッサージの強さの調整の選択肢を広げることが可能である。
【００４２】
更に、第１、第２のマット１６、１７を上下に差し替えることは、ベッド１上の人体とマッサージ用空気袋２１ａ〜２１ｅとの位置関係を、変えることに他ならない。このため、使用者が、マッサージ機能を停止させて単なるマットレスとしての使用を望む場合には、上部マットレス５の内部を図４（Ａ）の積層状態とすればよい。このため、第２マット１７の柔軟性により収縮した空気袋２１ａ〜２１ｅがベッド１上の人体に異物感を実質的に与えないようにできる。
【００４３】
そして、前記構成の上部マットレス５は、既述のように上部マットレス５の内部を図４（Ａ）又は図４（Ｂ）の積層状態とすることにより、ソフトな感触の寝心地又は比較的ハードな感触の寝心地を人体に与えることができるので、ベッド１の製造側では、これら寝心地が異なる２種類のベッドの部品共通化が図れ、製造コストを低減可能である。
【００４４】
しかも、空気袋２１ａ〜２１ｅを個別に収容した外装袋２３ａ〜２３ｅを、第１マット１６の第１又は第２の凹み２５又は２６に埋め込み状態に収容したので、図４（Ｂ）に示した状態で、マッサージをしないで使用する場合にも、外装袋２３ａ〜２３ｅ等が人体に異物感を与えることを抑制可能である。
【００４５】
更に、第１マット１６に対する空気袋２１ａ〜２１ｅの取付けに、これらを個別に収容する外装袋２３ａ〜２３ｅを用いたので、空気袋２１ａ〜２１ｅの着脱が第１マット１６に拘束されることがない。このため、空気袋２１ａ〜２１ｅの交換を伴うメンテナンスを容易に行うことが可能である。
【００４６】
又、前記ベッド１において上部マットレス５とは別置きされる駆動部３１は、ベッドフレーム２の内側の床上空間Ｇを利用してそこに配置されているので、これが視認されることはなく外観的に好ましい。それだけではなく、以上の配置により上部マットレス５から駆動部３１にわたるエアーチューブ３２が邪魔になることを抑制でき、エアーチューブ３２に人体の足が引っ掛からないようにできる。
【００４７】
なお、前記第１実施形態において、空気袋２１ａ〜２１ｅが取付けられた第１マット１６を、第２マット１７と同種の軟質発泡ウレタンフォームで作ることも可能である。この場合、図４（Ａ）及び図４（Ｂ）の積層状態で、第１マット１６を上下が逆様となるように反転して使用することができ、それにより、更に人体に与えるマッサージ力の変更形態を多様化することが可能となる。又、第１実施形態で、空気袋２１ａ〜２１ｅの機能不良を生じた場合、駆動部３１からエアーチューブ３２を外すとともに、マットレスカバー１８から第１マット１６を取出して、このマット１６を丸めた形態にた上で、製造者に送り返して、メンテナンスを受けることも可能である。
【００４８】
図７〜図９は本発明の第２実施形態を示している。この実施形態は基本的には第１実施形態と同じ構成であるので、同じ部分には第１実施形態と同じ符号を付して、その構成および作用の説明を省略し、以下異なる部分について説明する。
【００４９】
第２実施形態では、マットレスベース１５上に着脱可能に積層される第１、第２のマット１６、１７が、いずれも同種の軟質発泡ウレタンフォームで作られたマット要素として用いられていて、これらの例えば四隅を接着して実質的に一つのマット１４を形成している。図８中２点鎖線は前記四隅の接着部位を示している。これに伴い、第１実施形態で用いたシート３３を省略して、部品点数と製造コストの低減を図っている。この第２実施形態において、マット要素としての第１、第２のマット１６、１７の厚みや硬度等を適宜選定して、マット１４をその一面（一方のマット部材の表面）を上にして使用する場合と、他面（他方のマット部材の表面）を上にして使用する場合とで、クッション性やマッサージ力が明確に異なるようにすることが可能である。
【００５０】
このマット１４は、図７（Ａ）に示すように第２マット１７が上向きとなる姿勢、又はこの姿勢から上下が逆様となるように反転して第１マット１６が下向きとなる姿勢のいずれかを選択できる。このため、この第２実施形態でも、第１実施形態と同様に、ベッド１上の人体に対する各空気袋２１ａ〜２１ｅの相対位置を変えることが可能であるので、単なるマットとして使用する際の使用感をよくできるとともに、マッサージの強さを調整する選択肢の幅を大きくすることも可能である。
【００５１】
更に、第２実施形態では、第１実施形態の外装袋を省略して部品点数を削減する代わりに、各空気袋２１ａ〜２１ｅを夫々第１マット１６の一面１６ａに接着剤３７を用いて直付けされている。具体的には、各空気袋２１ａ〜２１ｅはそれが円筒状に膨張した時に前記一面１６ａにおける第１又は第２の凹み２５又は２６の底面との接触が維持される線状部分で接着されている。この場合、接着領域は、各空気袋２１ａ〜２１ｅの長手方向両端部を除いて確保されている。
【００５２】
この構成により、繰返し膨縮される各空気袋２１ａ〜２１ｅの膨張に伴って接着剤３７を引き剥がす力が作用することを抑制でき、長期間に渡り各空気袋２１ａ〜２１ｅを第１マット１６の所定位置に保持することが可能である。なお、以上説明した点以外の構成は、図７〜図９に示されない構成を含めて第１実施形態と同じである。
【００５３】
図１０（Ａ）（Ｂ）は本発明の第３実施形態を示している。この実施形態は基本的には第１実施形態と同じ構成であるので、同じ部分には第１実施形態と同じ符号を付して、その構成および作用の説明を省略し、以下異なる部分について説明する。
【００５４】
第３実施形態では、マットレスベース１５上に着脱可能に積層されるマット２０を単層としている。この単層マット２０は軟質発泡ウレタンフォームで作られていて、その一面２０ａに複数の空気袋２１ａ〜２１ｅを取付けている。この取付けは、外装袋を用いても、或いは接着剤で直付けしてもよい。
【００５５】
マットレスカバー１８内での単層マット２０の姿勢は、図１０（Ａ）に示すように空気袋２１ａ〜２１ｅが取付けられている一面２０ａが上向きとなる姿勢、又はこの姿勢から上下が逆様となるように反転して図１０（Ｂ）に示すように前記一面２０ａが下向きとなる姿勢のいずれかを選択できる。このため、この第３実施形態でも、ベッド１上の人体に対する各空気袋２１ａ〜２１ｅの相対位置を変えることが可能であるので、第１実施形態と同様に、単なるマットとして使用する際の使用感をよくできるとともに、マッサージの強さを調整する選択肢の幅を大きくすることが可能である。
【００５６】
図１１は本発明の第４実施形態を示している。この実施形態は基本的には第１実施形態と同じ構成であるので、同じ部分には第１実施形態と同じ符号を付して、その構成および作用の説明を省略し、以下異なる部分について説明する。
【００５７】
第４実施形態では、各空気袋２１ａ〜２１ｅの上、具体的には各外装袋２３ａ〜２３ｅの上面の夫々に、１又は数個の押圧凸部４０を突設している。これら押圧凸部４０は硬質ゴムなどからなる。なお、外装袋２３ａ〜２３ｅを省略する場合には、各空気袋２１ａ〜２１ｅの上面に直接突設することができる。
【００５８】
このような押圧凸部４０を設けたことにより、各空気袋２１ａ〜２１ｅを膨張させた時に、人体に対する圧迫個所を押圧凸部４０に集中させて、強いマッサージをすることが可能である。なお、マッサージをしない場合には、軟質発泡ウレタンフォームからなる第２マット１７により、押圧凸部４０の異物感を抑制できる。
【００５９】
なお、以上説明した点以外の構成は、図１１に示されない構成を含めて第１実施形態と同じであるので、この第４実施形態においても本発明の課題を解決することが可能である。
【００６０】
本発明をベッドとして実施する場合、基礎マットレスを省略することは可能である。なお、マッサージ要素としてバイブレータを用いる場合、駆動部にはバイブレータの強さや動作間隔などを電気的に制御する制御部を用い、かつ、一部が溝内に収容される駆動力伝達系として電線を用いて実施することができる。
【００６１】
【発明の効果】
本発明によれば、単なるマットレスとして使用する際の使用感がよいとともに、マッサージの強さを調整する選択肢の幅が大きいマット式マッサージ機、及びこのマッサージ機を備えたベッドを提供できる。
【図面の簡単な説明】
【図１】本発明の第１実施形態に係るベッドを分解して示す斜視図。
【図２】図１のベッドを示す断面図。
【図３】図１のベッドが備えるマット式マッサージ機を分解して示す斜視図。
【図４】（Ａ）は図３のマット式マッサージ機で強いマッサージを得る場合の上部マットレスの状態を示す断面図。
（Ｂ）は図３のマット式マッサージ機で弱いマッサージを得る場合の上部マットレスの状態を示す断面図。
【図５】図３のマット式マッサージ機の空気袋が取付けられているマットをそのカバーシートを一部剥がした状態で示す斜視図。
【図６】図５のマットに対する空気袋の取付け部を拡大して示す平面図。
【図７】（Ａ）は本発明の第２実施形態に係るベッドを強いマッサージを得る状態で示す断面図。
（Ｂ）は本発明の第２実施形態に係るベッドを弱いマッサージを得る状態で示す断面図。
【図８】図７のマット式マッサージ機の空気袋が取付けられているマットを示す斜視図。
【図９】図８のマットに対する空気袋の取付け部を拡大して示す平面図。
【図１０】（Ａ）は本発明の第３実施形態に係るベッドを強いマッサージを得る状態で示す断面図。
（Ｂ）は本発明の第２実施形態に係るベッドを弱いマッサージを得る状態で示す断面図。
【図１１】本発明の第４実施形態に係るベッドが備えるマット式マッサージ機を分解して示す斜視図。
【符号の説明】
１…ベッド
２…ベッドフレーム
３…基礎マットレス
３ｂ…基礎マットレスの下面
Ｆ…床面（設置面）
Ｇ…床上空間
４…マット式マッサージ機
５…上部マットレス（マットレス）
６…エアー給排気装置（駆動装置）
１４…マット
１５…マットレスベース
１６…第１マット
１７…第２マット
１８…マットレスカバー
２０…単層マット
２０ａ…単層マットの一面
２１ａ〜２１ｅ…空気袋（マッサージ要素）
２３ａ〜２３ｅ…外装袋
２５…第１の凹み（マッサージ要素配設領域）
２６…第２の凹み（マッサージ要素配設領域）
３１…駆動部
３２…エアーチューブ
３７…接着剤
【図１】
2004154423.tif 000003
【図２】
2004154423.tif 000004
【図３】
2004154423.tif 000005
【図４】
2004154423.tif 000006
【図５】
2004154423.tif 000007
【図６】
2004154423.tif 000008
【図７】
2004154423.tif 000009
【図８】
2004154423.tif 000010
【図９】
2004154423.tif 000011
【図１０】
2004154423.tif 000012
【図１１】
2004154423.tif 000013